(57)【要約】【課題】永久磁石、ゲルマニウム、トルマリン、ブラックシリカなどのいずれかよりなる皮接具による患部に指圧効果と素材が持つ治療効果と、遠赤外線放射材による保温、保温治療効果等を発揮する帯状治療具を提供することを課題とする。【解決手段】略帯状を有する基材の裏面の適所に支持した織布又は不織布を主材料とする支持体の所望又は所定の個所に、永久磁石、ゲルマニウム、トルマリン、ブラックシリカのうちの１又は複数種を主材料とする皮接材を複数分散させて支持させ、更に、支持体に遠赤外線放射材を分散させて支持させた。【選択図】　図１
0003098566.tif 000002
【実用新案登録請求の範囲】
【請求項１】
略帯状を有する基材の裏面の適所に織布、不織布、合成樹脂製のシート、網体のいずれかを主材料とする支持体を支持させ、当該支持体の所望又は所定の個所に、永久磁石、ゲルマニウム、トルマリン、ブラックシリカのうちの１又は複数種を主材料とする複数の皮接具を皮膚に適用する側に向けて突出支持させることができるように具備し、或いは支持させてなることを特徴とする帯状治療具。
【請求項２】
前記支持体には皮接具が突入するための複数の開口を有し、かつ支持体の全体又は一部が基材の裏面に着脱可能に支持され、又は支持体の一端或いは両端のみが基材の裏面に支持されており、皮接具を支持体の裏面側から前記開口内に突入させて、皮接具を支持しているシート片状の貼着材を支持体の裏面に貼り付けることにより皮接具を支持体に支持させる構造を持つ請求項１に記載の帯状治療具。
【請求項３】
前記支持体の皮膚への適用面に複数の遠赤外線放射材が支持されている請求項１又は２に記載の帯状治療具。
【請求項４】
前記基材は、一端面及び途中面又は他端面に設けた面ファスナーで輪状に係止できるコルセット型の腰バンド、ヘアバンド、チョーカ、カチューシャ、リストバンド又はアームバンド、伸縮自在型のリストバンド又はアームバンド、ブレスレット、サポータ、犬又は猫等のペット動物用の首輪、犬用の胴輪のうちのいずれかで構成されている請求項１ないし３に記載の帯状治療具。
【考案の詳細な説明】
【０００１】
【考案の属する技術分野】
本考案は、ゲルマニウム、トルマリン、ブラックシリカなどのいずれかよりなる皮接具により患部に指圧効果と素材が持つ磁気やイオンによる治療効果、そして遠赤外線放射材による加温・保温効果等を及ぼし得、犬猫などのペット動物に適用できる帯状治療具に関する。
【０００２】
【従来の技術】
従来において、人の体の肌に粒状物やコイン状の小片などの突起を押し当てると指圧効果が得られることが知られている。
例えば、従来技術として、特開２００２−３４５８６６号公報には、腰に巻きつけ固定して腰部安定と腰痛緩和を図る腰ベルトが記載されている。この腰ベルトは、腰に巻きつけて支持することが可能な伸縮自在な構造を有し、その腰当て部に指圧効果粒状物を配置したものである。
また、特開２００２−５２０８８号公報は、長手方向に伸縮可能なバンド本体に面ファスナーを取り付けたバンドの中央に網状袋体を設け、この網状袋体内に磁気治療用磁石体を挿入したものからなり、腰や膝、肩、足などに巻き付けて使用する健康バンドが記載されている。
また、特開２００１−１７５５５号公報には、蓄熱材を耐塩化ビニール内袋に入れ、その前面に必要な数の磁気治療用の磁石を取り付け、蓄熱材として、トルマリンの微粉末を使用したコードレス赤外線温熱・磁気・イオン治療器が記載されている。
そして、特開昭６１−９０６７６号公報には、標準単極電位を異にする２種類の導電性鉱物間を電気的に接続した鉱物イオン浸透器と、該鉱物イオン浸透器から放出される鉱物イオンの運動方向が影響を受ける程度の強さの磁場を付与できる小磁石および皮接手段からなる皮接具が記載されている。
【０００３】
【考案が解決しようとする課題】
しかしながら、特開２００２−３４５８６６号公報に記載の腰ベルトは、指圧効果粒状物を着用者の背骨に沿った両側に相当する腰ベルトの中央部の内側個所に固定してあるため、例えば、坐骨神経痛治療の１つのツボである腰の横辺りに指圧効果を及ぼすことができない。
特開２００２−５２０８８号公報に記載の健康バンドは、当該健康バンドの中央に位置する網状袋体内に磁気治療用磁石体を入れたものになっているため、この場合も腰の横辺りに指圧効果を及ぼすことができない。つまり、指圧治療を及ぼす範囲が狭いものであった。
特開２００１−１７５５５号公報に記載のコードレス赤外線温熱・磁気・イオン治療器は、治療器ごとトルマリンを加熱化して患部に取り付けるという面倒な作業が必要であった。
ところで、特開昭６１−９０６７６号公報に記載の皮接具において、同公報の添付図の第２図に示すように、シート状の皮接手段を皮膚面に貼り付けて導電性鉱物及び永久磁石を患部に支持するという使用法が記載されているが、人によっては、皮接手段を皮膚に固定するための粘着剤が皮膚のかぶれや赤み、かゆみ、剥がし痕がしばらく残るなどのアレルギー症状を招くことがある。しかも、皮接具を１個づつ々患部の皮膚面に貼り付けるのは面倒であり、特に背中には一人で貼れない。また、剥がせないなど、周りの人の手助けが必要という煩わしさがある。
【０００４】
本考案は、着用者が自分の好む位置や患部の位置に合わせて皮接具を位置させることによる患部に対する指圧効果及び、皮接具が保有する磁気やマイナスイオンなどによる治療効果、血流促進効果、患部に対する消炎効果、殺菌効果、遠赤外線放射材による患部への保温による治療効果を及ぼし、しかも、ファッション性や実用性を併せ持つ帯状治療具を提供することを課題とする。
【０００５】
【課題を解決するための手段】
以上の課題を達成するために提案される請求項１の考案による帯状治療具は、略帯状を有する基材の裏面の適所に織布、不織布、合成樹脂製のシート、網体のいずれかを主材料とする支持体を支持させ、当該支持体の所望又は所定の個所に、永久磁石、ゲルマニウム、トルマリン、ブラックシリカのうちの１又は複数種を主材料とする複数の皮接具を皮膚に適用する側に向けて突出支持させることができるように具備し、或いは支持させてなることを特徴とするものである。
【０００６】
本考案の帯状治療具は、肌若しくは下着や髪の毛等を介した近傍に添えて使用する。このため、それぞれの適用する部位の形状や広さに応じたものが用意され、大別すると、人に用いるものと、犬猫などのペット動物に用いるものとがある。
本考案の帯状治療具の特徴的なところは、外観を持つ基材に直接、皮接具を固定するのではなく、基材の裏面に支持した、織布、不織布、合成樹脂製のシート、網体のいずれかを主材料とする支持体に貼り付けて使用する。
このようにすると、例えば、基材の裏面が凹凸であるために皮接具を貼り付け難かったり、基材が伸縮自在な構造をもっているために皮接具が貼り付け難いような場合でも容易に貼り付けられる。特に、肌に粘着シートを貼り付けないので、粘着剤による皮膚のかぶれなどがなく外義の通気性も良い。
支持体は、基材の裏面に幅広く亘る大きさのものを使用して、皮接具を多数分散させて支持できるものが好ましく、支持体を織布若しくは不織布にすると皮膚に対する馴染みが良い。更に好ましくは、吸湿性のある天然素材、例えば綿製のものを用いると、使用感が更に良くなる。
本考案の帯状治療具では、皮接具として、磁石、ゲルマニウム、トルマリン、ブラックシリカのうちの１又は複数種を用いる。これらは指圧効果を持たせるため、支持体から突出している。永久磁石による患部への治療効果としては、例えば、血行促進効果が挙げられる。ゲルマニウムは単体として用いても良いが、例えば、特開昭６１−９０６７６号公報に記載の皮接具の如き永久磁石と共に用いると、鉱物イオンと磁力線の相互作用によって、患部の凝りや痛みに対して有効な消炎作用を発揮する。
トルマリンによる患部に対する治療効果は、特開２００１−１７５５５号公報における明細書の段落番号「０００６」に記載されているように、トルマリンは動植物の神経系統を制御しているのと同じ波長の１１ミクロン、０．０６ミリアンペアの微弱電流を流すために、細胞の活性化を促す効果がある。この他にも、マイナスイオンを及ぼすブラックシリカを用いても良い。
【０００７】
請求項２の考案による帯状治療具の更なる構成は、前記支持体には皮接具が突入するための複数の開口を有し、かつ支持体の全体又は一部が基材の裏面に着脱可能に支持され、又は支持体の一端或いは両端のみが基材の裏面に支持されており、皮接具を支持体の裏面側から前記開口内に突入させて、皮接具を支持しているシート片状の貼着材を支持体の裏面に貼り付けることにより皮接具を支持体に支持させる構造を持つ。
【０００８】
この請求項２に記載の帯状治療具は、皮接具を支持体に支持する最適な１形態を示しており、支持体の裏面側から支持体に形成されている開口内に向けて皮接具を突入させて、支持体の裏面側に貼着材を貼り付けて支持する。このため、皮接具にはその後端面に円形の粘着シート片が支持されている。支持体に形成されている開口は皮接具が突入する大きさを有し、皮接具はこの開口から支持体の表面側に突出するため指圧効果を発揮する。この開口は一定間隔毎に複数形成され、全ての開口に皮接具を支持させてもよく、また、所望の開口に皮接具を支持させてもよい。なお、支持体をネットで形成した場合には、ネットの網目を広げて、ここに皮接具を突入させるようにする。
【０００９】
請求項３に記載の考案の帯状治療具は、請求項１又は２に記載の帯状治療具において、前記支持体の皮膚への適用面に複数の遠赤外線放射材が支持されたもので構成される。
【００１０】
このようにすると、皮接具による上述した効果に加えて、遠赤外線による患部に対する保温治療効果と、患部の殺菌・脱臭効果を発揮する。遠赤外線放射材は、例えば、トルマリンの微粉末、炭素微粉末、炭素化合物の微粉末など、公知の遠赤外線放射する材料が挙げられ、これらを結合材などを用いて持体の表面に固定する。
【００１１】
請求項４に記載の考案は、上記いずれかの帯状治療具に用いられている基材が、一端面及び途中面又は他端面に設けた面ファスナーで輪状に係止できるコルセット型の腰バンド、ヘアバンド、チョーカ、カチューシャ、リストバンド又はアームバンド、伸縮自在型のリストバンド又はアームバンド、ブレスレット、サポータ、犬又は猫等のペット動物用の首輪、犬用の胴輪のうちのいずれかで構成されているものが該当する。
【００１２】
例えば、基材がコルセット型の腰バンドの場合には、その中央の幅広い面の内側に支持体を支持させたものが用いられ、少なくともこの支持体を着用したときに、人の背骨に沿った両側に位置する個所の他、更にその両側方に皮接具を支持させる。このようにすると、背中の凝りや腰痛が指圧治療でき、また、皮接具による磁気、微弱電流、マイナスイオンなどにより背中や腰痛が治療できる。また、支持体に遠赤外線放射材を点在させると、保温治療効果の他、寒い時期に体が温まる。
また、例えば、基材がヘアバンド、リストバンド、カチューシャ、チョーカ、ブレスレットである場合には、これらの機能の併せ持ったファッション性の高い帯状治療具になる。また、基材がサポータある場合には、サポータとしての機能も併せ持つ。
本考案の帯状治療具は、伸縮自在な基材を使用しても、支持体に皮接具や遠赤外線放射材を支持させるため、皮接具や遠赤外線放射材が支持さ難かったり、離脱しない。伸縮自在で基材を用いる場合には、支持体の一端のみを基材に支持させて、支持体が引っ張られたり、撓んだりしないようにする。
本考案の帯状治療具は、人に適用するものだけではなく、例えば、犬猫などのペット動物用にも適用できる。例えば、犬の首輪や胴輪が挙げられる。
基材は、従来より公知のもの、例えば、一般に市販されているヘアバンド、リストバンド、カチューシャ、ブレスレット、首輪、胴輪などがそのまま利用でき、これらの内側に支持体を支持し、必要に応じて、これに皮接具や遠赤外線放射材を支持させたものを用いる。
【００１３】
【考案の実施の形態】
次に本考案による帯状治療具の具体的な実施の形態を添付図面に沿って詳述する。
図１の（（ａ）図は本考案の１実施形態である腰用の帯状治療具の内側面を示した図であり、（ｂ）図は同じく外側面を示した図である。
これら各図に示す腰用の帯状治療具１は、帯状を有する基材２に、織布或いは不織布で出来た支持体３０が支持され、更に、この支持体３０に皮接具４０と、遠赤外線放射材５０が支持されたもので構成される。
【００１４】
詳述すると、基材２は、人の腰の後ろ側から両側部に渡る幅広い大きさを有する合成繊維製の網体にて形成された略矩形の本体部３を有し、その両端部に、横方向に伸縮自在な細かい網目を持つ合成繊維製のネットで形成された略矩形の側面部４Ｌ，４Ｒを有し、各側面部４Ｌ，４Ｒの各一端縁部と本体部３の端部とは補強芯材７，７に縫合されて一体化されている。そして、各側面部４Ｌ，４Ｒの他端部に、本体部３よりも上下幅の狭い形状を有する巻きつけ部５Ｌ，５Ｒの一端部が縫合により支持されている。
巻きつけ部５Ｌ，５Ｒは、柔軟性と張りを併せ持つシート状の芯材に布製の裏生地９，９と、面ファスナーの片面を使用したになる表生地８，８が縫合により貼り合わされたもので出来ている。そして、全体の外周縁をバイアステープ１７を縫合して使用感を高めてある。
更に、本体部３の表面側の中央には、上下方向に向けた補強芯材６がゴムベルト１３，１２，１５，１４の各一端部と共に縫合されており、ゴムベルト１３，１２，１５，１４の各他端部は側方に２枚づつ振り向けられ、一方側に振り向けられたゴムベルト１５，１４の各他端部は、巻きつけ部５Ｒの表面の途中面に重ね合わせて縫合されている。そして、他方側に振り向けられたゴムベルト１３，１２の他端部は、重ね合わされて、矩形の面ファスナー１６に縫合により支持されており、この面ファスナー１６を他方の巻きつけ部５Ｌの表面である面ファスナーの適所に係合可能としている。そして、一方の巻きつけ部５Ｒの内側面の先端部に面ファスナー１０が縫合により支持されており、この面ファスナー１０は、他方の巻きつけ部５Ｌの表面である面ファスナーの適所に係合可能としている。基材２は以上の如き構造を有する。
【００１５】
そして、図１の（ａ）図を参照しつつ図２に示すように、前記本体部３の内側面に、矩形シート状の支持体３０が支持されている。この支持体３０は、手触りの良い織布或いは不織布を素材とする表生地の裏面に、柔軟性の高い合成樹脂製フィルムを貼り付けたもので形成され、その外周縁は折り返されて縫合されている。
そして、この支持体３０の中央近傍の縦方向に沿って、等間隔毎に小さな開口３１，３１・・が複数列、形成され、これらの開口３１，３１は、帯状治療具１を腰に着用してときに背骨の両側に沿って位置する。また、更にその両側方にも上下方向に沿って等間隔毎に複数列、同じ大きさの開口３１，３１・・が形成され、これらの開口３１，３１・・は背中の両側から腰辺りに位置する。そして、更に、上下方向に沿ってドット状の遠赤外線放射材５０，５０・・が上下方向に沿って等間隔毎に複数列支持されている。
【００１６】
そして、支持体３０の横方向の一端部を、前記本体部３の１方の側端に位置する補強芯材７に縫合し、支持体３０の他端部の裏面に縫合してある面ファスナー３３を、上記補強芯材７に沿った個所に縫合してある面ファスナー１１に係止させて、支持体３０を本体部２０の裏面に沿って幅広く位置させるようにした。
【００１７】
図３は皮接具４０を斜視図で示しており、本実施形態では、皮接具４０として、特開昭６１−９０６７６号公報に記載の皮接具を用いた。この皮接具４０は、その中央にゲルマニウムの粒状物４１を有し、その上面を残す周囲を金属枠材４２で囲って一体化させた平面視円形を有し、かつ粒状物４１の中央面が円弧曲面状に突出したものにて構成され、全体の外径は上記開口３１の径と略じである。そして、この皮接具４０の後端面に円形の粘着シート片４４を支持させたものを用いた。この粘着シート片４４の粘着面４５は、皮接具４０が位置する側にあり、未使用状態のときには、この粘着面には剥離紙が貼られている、
【００１８】
図４は支持体に皮接具を支持させた腰用の帯状治療具の中央内側面を拡大して示した図であり、図５は支持体に皮接具と遠赤外線放射材を支持させた状態を拡大側面図で示している。
これら各図に示すように、皮接具４０を支持体３０に支持させる作業は消費者が購入後に行ない、その作業は、支持体３０の片側を基材２から外して、皮接具４０の先端部を支持体３０の裏面側から所望の開口３１を通じて支持体３０の表面側に突出させ、粘着シート片４４を支持体３０の裏面に貼り付ける作業を行い、その後、再び、支持体３０の片側を基材２に支持させる。これに対し、遠赤外線放射材５０は、支持体３０の製造時に、その表面にドット状に塗布してある。以上のようにすると帯状治療具１が使用可能な状態になる。
【００１９】
図６は腰用の帯状治療具１の着用例を正面から示し、図７は同じく内側面を示している。
これら各図に示すように、この腰用の帯状治療具１は、内側面を体に向けて、中央の補強材６が体Ｂの背骨の中心Ｙに沿うように位置させ、巻きつけ部５Ｌ，５Ｒの先端部を体の腹部の前面に向けて、帯状治療具１が体Ｄを適度に押さえつける程度になるように重ね合わせて、面ファスナー１０を巻きつけ部の表面である面ファスナーに係合させて着用する。このようにすると、皮接具４０，４０・・が背中や腰辺りのツボを押圧して指圧効果を及ぼし、また、皮接具４０，４０・・のゲルマニウムが持つ鉱物イオンと磁力線の相互作用によって、背中や腰辺りの凝りや痛みに対して有効な消炎作用を及ぼす。また、遠赤外線放射材５０による保温治療効果と、患部の殺菌・脱臭効果を及ぼす。
【００２０】
図８の（ａ）図は本考案の他の実施形態であるブレスレットを内側から見た斜視図であり、（ｂ）図はその使用状態を示している。
図８の（ａ）図に示すように、このブレスレット１００は、基材２として、多数のビーズ玉を繋いで形成したブレスレット本体１０１の一端部の内側面と他端部の外側面に、それぞれ面ファスナー１０，１９を支持させたものを用いた。そして、このブレスレット本体１０１内側面の面ファスナー１０の縁部に沿う位置に、ブレスレット本体１０１と略同じ大きさの綿織布で出来た支持体３０の一端部を縫合により支持させ、支持体３０をブレスレット本体１０１の内側面に沿わせることができるものにした。
そして、支持体３０の長手方向に沿った等間隔個所に、各２個ずつ皮接具４０，４０を支持させたもので構成した。
皮接具４０は前述したものが用いられ、皮接具４０を支持体３０に支持させる方法は、前述した実施形態の場合と同じである。
支持体３０をブレスレット本体１０１に片支持させたのは、ブレスレット１００を手首の巻き付けたときに、支持体３０が撓むのを防ぐためである。
そして、図８の（ｂ）図に示すように、支持体３０を手首Ｔに沿わせながらブレスレット１００を手首Ｔに巻き、その両端の面ファスナー１０、１９どうしを係合させると、ブレスレット１００は手首Ｔに着用できる。このようにすると、支持体３０はブレスレット本体１０１の内側に略隠れ、見栄えに影響しない。そして、支持体３０が持つ肌触りの良さと吸湿及び通気性が手首Ｔを快適にし、更に、皮接具４０による上述した効果を手首Ｔに及ぼす。
【００２１】
図９の（ａ）図は本考案の他の実施形態である犬用の首輪２００を内側面から見た図であり、（ｂ）図はその使用状態を示した斜視図である。
図８の（ａ）図に示すように、この首輪２００は、市販品の首輪である首輪本体２０１が基材２になり、この首輪本体２０１の内側面に合成樹脂製のシートで形成された支持体３０を両面粘着テープ７０で貼り合わせ、その貼り合わせ時に皮接具４０，４０を長手方向に沿って等間隔毎に支持体３０に支持させたものである。
皮接具４０を支持体３０に支持させる方法は、前述した実施形態の場合と同じである。支持体３０を合成樹脂製のシートで形成したのは、犬Ｄが爪で引っ掻いても破損しなく、汚れ難く、耐水性を持たせるためであり、支持体３０を両面粘着テープ７０で貼り合わせるようにしたのは、犬Ｄが爪で引っ掻いても剥がれないようにするためである。
図８の（ｂ）図に示すように、この首輪２００を犬Ｄの首に着用させると、首輪本来が持つ役割の他に、皮接具４０による効果、特に、ゲルマニウムが持つ鉱物イオンと磁力線の相互作用により、首周りの凝りや痛みに対して有効な消炎作用を及ぼす。なお、支持体３０に蚤（ノミ）が嫌う薬剤や殺虫剤を固定しても良い。
【００２２】
【考案の効果】
以上説明した本考案の帯状治療具は、着用者が自分の好む位置や患部の位置に合わせて皮接具を位置させることができ、この結果、所望の患部に指圧効果を及ぼすことができるようになった。また、皮接具の種類に応じて、磁気治療効果、血流促進効果、患部に対する消炎効果、殺菌効果、治療効果などが得られるようになった。また、遠赤外線放射材により、患部に対する保温効果、保温治療効果も得られるようになった。
【００２３】
本考案の帯状治療具は、皮接具を、粘着シート片を用いて肌に貼るという方法を採っていないので、肌アレルギー症状が生じない。また、背中など手の届き難い個所にも容易に適用できる。特に、皮接具を支持する個所や個数を使用者が選択でき、また、皮接具を支持体に形成した開口内に支持体の裏側から突入させるようにしているため、皮接具を配置する位置決めが容易であり、皮接具の脱落も少ない。
【００２４】
しかも、本考案の帯状治療具は、シート状の支持体を介して皮接具を基材に支持させているため、内側に凹凸にある基材や伸縮する基材など、基材の種類を問わず、皮接具を安定して支持させることができるようになった。しかも、人用のものについては、基材に織布又は不織布を使用しているため、皮膚に心地よい感触を与え、帯状体の種類に応じてファッション性や実用性を併せ持たせることもできるようになった。
【図面の簡単な説明】
【図１】（ａ）図は本考案の１実施形態である腰用の帯状治療具の内側面を示した図である。
（ｂ）図は同じく外側面を示した図である。
【図２】皮接具を支持する前の腰用の帯状治療具の内側面を拡大して示した図である。
【図３】皮接具を示した斜視図である。
【図４】支持体に皮接具を支持させた腰用の帯状治療具の中央内側面を拡大して示した図である。
【図５】支持体に皮接具と遠赤外線放射材を支持させた状態を示した拡大側面図である。
【図６】腰用の帯状治療具の着用例を示した正面である。
【図７】同じく内側面を示した図である。
【図８】（ａ）図は本考案の他の実施形態であるブレスレットを内側から見た斜視図である。
（ｂ）図は同じくその使用状態を示した斜視図である。
【符号の説明】
１　　腰用の帯状治療具
２　　基材
３　　本体部
４Ｌ，４Ｒ　　側面部
５Ｌ，５Ｒ　　巻きつけ部
１０　　面ファスナー
１３，１２，１５，１４　　ゴムベルト
１６　　面ファスナー
３０　　支持体
３１　　開口
４０　　皮接具
５０　　遠赤外線放射材
【図１】
0003098566.tif 000003
【図２】
0003098566.tif 000004
【図３】
0003098566.tif 000005
【図４】
0003098566.tif 000006
【図５】
0003098566.tif 000007
【図６】
0003098566.tif 000008
【図７】
0003098566.tif 000009
【図８】
0003098566.tif 000010
【図９】
0003098566.tif 000011
【手続補正書】
【提出日】平成15年6月24日(2003.6.24)
【手続補正１】
【補正対象書類名】明細書
【補正対象項目名】図９
【補正方法】追加
【補正の内容】
【図９】（ａ）は本考案の皮接具を備えた犬の首輪の裏面図である。
（ｂ）は同じくその使用例を示した斜視図である。